(57)【要約】      （修正有）【課題】異なる高度の空気質の測定を実現するオンライン式多高度環境質の測定分析端末を開示する。【解決手段】測定分析端末は、昇降器１と昇降器１を支持する支持ブロック８とを含み、昇降器１の中には昇降器１をライトロッド３で運動させることができるよじ登り機構６５と伝動機構６６が設置される。また、昇降器１の中には、測定チャンバ２７の内部に入った空気質を測定できる測定機構６８が設置される。よじ登り機構６５の昇降において、測定チャンバ２７の中の空気が流通し、異なる高度の空気質の測定を実現する。【選択図】図１
2020197516.tif 000002
【特許請求の範囲】
【請求項１】
正面視で、昇降器と前記昇降器を支持する支持ブロックとを含み、前記昇降器と前記支持ブロックの中には後方へ開口した貫通孔が設置され、前記貫通孔の中には二つの前記貫通孔を貫通しているライトロッドが設置され、
前記昇降器の中には前記昇降器を前記ライトロッドで運動させることができるよじ登り機構が設置され、
前記昇降器の中には装置の作動に動力を提供する駆動機構が設置され、前記昇降器の中にはまた前記よじ登り機構を制御して作動させる伝動機構が設置され、前記伝動機構は伝動チャンバと前記伝動チャンバに連通している駆動チャンバとを含み、前記伝動チャンバの中にはカムと前記カムにより制御されて運動する二つのスライド板とが設置され、前記カムの中には上方へ開口した弧状溝が設置され、前記伝動チャンバの上端壁には下端が前記弧状溝の中に位置しており、且つ前記カムの回転を制限する固定ロッドが固定され、前記固定ロッドと右側の前記スライド板との間が弾性ひもにより連結され、前記弧状溝の中にはまた下端が前記弧状溝と前記カムとを貫通しており、且つ前記駆動チャンバの中に位置している台形ロッドが設置され、前記駆動チャンバの中には前記台形ロッドに影響されて上下に運動する環状板が設置され、前記環状板の下側には第一リールが設置され、前記第一リールの中には円形チャンバが設置され、前記円形チャンバの上端壁の中には前記駆動チャンバに連通している二つの昇降溝が設置され、前記昇降溝の両側端壁の中にはいずれもバネ溝が設置され、前記昇降溝の中には上端が前記環状板に連結された昇降ロッドが設置され、前記昇降ロッドの下端には一端が前記バネ溝の中に位置している二つのバネブロックが固定され、前記バネ溝の中には前記バネ板を支持する支持バネが設置され、前記第一リールには三本のロープが巻きついており、前記カムが前記駆動機構の連動のもとで運動を制御し、これにより前記スライド板又は前記第一リールとを制御して回転させ、これにより前記よじ登り機構への制御を実現し、前記昇降器の昇降を完成し、
前記昇降器の中にはまた空気質を測定できる測定機構が設置され、前記よじ登り機構の昇降において、異なる高度の空気質の測定を実現することを特徴とするオンライン式多高度環境質の測定分析端末。
【請求項２】
前記よじ登り機構は二本のローラと、二本の従動軸と、三本の昇降バネと、二つの挟みブロックと、三つの電磁石と、二つの伸縮バネとを含み、前記昇降器の中には右方へ開口した従動溝が設置され、前記伝動チャンバの前後端壁の中にはいずれも前記伝動チャンバに連通しているスライド溝が設置され、前記伝動チャンバと前記従動溝の中にはいずれも前記従動軸が設置され、右側の前記従動軸の前後両端がそれぞれ前記スライド溝の中に位置しており、且つ前記スライド溝の中には前記従動軸を復帰させることができる前記伸縮バネが設置され、前記従動軸には一端が前記ライトロッドと接触した前記ローラがスライドできるように連結され、前記昇降器の中には下方へ開口した三つの伸縮チャンバが設置され、前記支持ブロックの上端面には上端が前記伸縮チャンバの上端壁と連結された前記伸縮バネが固定され、前記ロープの左端がそれぞれ前記伸縮チャンバの上端壁を貫通しており、且つ前記支持ブロックと連結され、前記支持ブロックの中には前記貫通孔に連通した三つの電磁溝が設置され、前記電磁溝の片側端壁には前記電磁石が固定され、前記電磁溝の中にはまた一端が前記ライトロッドと接触した前記挟みブロックがスライドできるように連結されたことを特徴とする請求項１に記載のオンライン式多高度環境質の測定分析端末。
【請求項３】
前記伝動機構はまた前記伝動チャンバの右端壁の中に植設された接触スイッチを含み、前記接触スイッチが右側の前記スライド板と接触した後に前記電磁石を作動させることを特徴とする請求項１に記載のオンライン式多高度環境質の測定分析端末。
【請求項４】
前記駆動機構は駆動モータを含み、前記駆動モータの上端には駆動軸が動力が伝達できるように連結され、前記駆動軸の上端が前記第一リールと、前記環状板と、前記カムとを貫通しており、且つ前記伝動チャンバの上端壁と回転できるように連結され、前記カムが前記駆動軸とスライドできるように連結され、前記駆動軸の上端が前記円形チャンバを貫通しており、且つ前記駆動軸の上端には一端が前記円形チャンバの中に位置している二つの固定ブロックが固定され、前記駆動軸の下端には第一ベルトプーリが固定され、前記駆動チャンバの右端壁の中には回転チャンバが設置され、前記回転チャンバの下端壁には回転軸が回転できるように連結され、前記回転軸の上端には第二ベルトプーリと第一ベベルギヤとが固定され、前記第二ベルトプーリと前記第一ベルトプーリとの間が第一ベルトにより連結され、前記第一ベベルギヤの後端には第二ベベルギヤが噛み合うように連結され、前記第二ベベルギヤの中心には前後両端がそれぞれ前記回転チャンバの前後端壁と回転できるように連結された回転軸が固定的に連結され、前記回転軸の前後両端には第三ベルトプーリが固定され、前記回転軸の後端には摩擦電磁輪がスライドできるように連結され、前記摩擦電磁輪の上端には前記摩擦電磁輪と接触した従動輪が設置され、前記従動輪の中心には後端が前記回転チャンバの後端壁と回転できるように連結された連結軸が固定され、前記連結軸と前記回転チャンバの後端壁とが捻りバネにより連結され、前記連結軸にはまた二つの第二リールが固定され、後側の前記第二リールには前記鎖が巻きついており、前側の前記第二リールには前記細ひもが巻きついていることを特徴とする請求項１に記載のオンライン式多高度環境質の測定分析端末。
【請求項５】
前記測定機構は測定チャンバを含み、前記測定チャンバの前後端壁にはいずれも外部空間に連通した通気チャンバが設置され、前記通気チャンバの左端壁には固定板が固定され、前記固定板の右端には前記固定板の右端を貫通している伝動軸が設置され、前記伝動軸の一端にはファン羽根が固定され、前記伝動軸のもう一端には第四ベルトプーリが固定され、前記第四ベルトプーリと前記第三ベルトプーリとの間が第二ベルトにより連結され、前記測定チャンバの上端壁には下方へ開口した押し出し溝が設置され、前記押し出し溝の中には下端が前記測定チャンバの中に位置している測定器と、前記測定器を復帰させることができる圧縮バネとが設置され、前記細ひもの上端が前記押し出し溝の上端壁を貫通しており、且つ前記測定器と連結され、前記測定チャンバの上端壁の中にはまた前記押し出し溝を貫通している移動チャンバが設置され、前記移動チャンバの中には前記押し出し溝を閉鎖できる閉鎖板と、前記閉鎖板を復帰させることができる連結バネとが設置され、前記鎖の一端が前記移動チャンバの左端壁を貫通しており、且つ前記閉鎖板と連結されたことを特徴とする請求項１又は請求項４に記載のオンライン式多高度環境質の測定分析端末。
【請求項６】
初期状態において、前記昇降器と前記支持ブロックとの間には一定の距離が存在しており、且つ前記挟みブロックが前記ライトロッドをきくつ挟んでいなく、前記ローラが前記ライトロッドをきくつ挟んで前記昇降器の安定を保証することを特徴とする請求項１又は請求項２に記載のオンライン式多高度環境質の測定分析端末。
【請求項７】
前記捻りバネの弾力が前記連結バネの弾力よりはるかに大きいことを特徴とする請求項４又は請求項５に記載のオンライン式多高度環境質の測定分析端末。
【請求項８】
前記ローラが前記ライトロッドをきつく挟む時、前記ローラと前記ライトロッドとの間の摩擦力が前記昇降器と前記支持ブロックとの重力の和よりはるかに大きいことを特徴とする請求項１又は請求項２に記載のオンライン式多高度環境質の測定分析端末。
【発明の詳細な説明】
【技術分野】
【０００１】
本発明は測定分野を取り上げて、具体的にはオンライン式多高度環境質の測定分析端末である。
【背景技術】
【０００２】
空気質指数は当該地域の空気質を反映し、当該地域の環境質と生活の快適さを直観的に判断できる。
しかし、現在の空気質測定装置は、ほとんどは単一高度で測ることしかできなく、これにより測った空気質のデータが精確ではなくなり、データを分析した後の結果は当該地域の空気質を精確に反映できなく、また異なる高度の空気質を測定する時、他の装置で補助する必要が有り、仕事の効率を下げ、しかも測定のコストが増える。
【先行技術文献】
【特許文献】
【０００３】
【特許文献１】中国特許出願公開第１０９５４１１４４号明細書
【発明の概要】
【発明が解決しようとする課題】
【０００４】
本発明が解決しようとする技術問題はオンライン式多高度環境質の測定分析端末を提供し、測定効率が低く、且つ測定のデータが単一である問題を克服する問題であり、これにより測定の効率と精度を高める。
【課題を解決するための手段】
【０００５】
本発明は以下の技術プランを通じて実現される。
【０００６】
本発明のオンライン式多高度環境質の測定分析端末は、昇降器と前記昇降器を支持する支持ブロックとを含み、前記昇降器と前記支持ブロックの中には後方へ開口した貫通孔が設置され、前記貫通孔の中には二つの前記貫通孔を貫通しているライトロッドが設置され、
前記昇降器の中には前記昇降器を前記ライトロッドで運動させることができるよじ登り機構が設置され、
前記昇降器の中には装置の作動に動力を提供する駆動機構が設置され、前記昇降器の中にはまた前記よじ登り機構を制御して作動させる伝動機構が設置され、前記伝動機構は伝動チャンバと前記伝動チャンバに連通している駆動チャンバとを含み、前記伝動チャンバの中にはカムと前記カムにより制御されて運動する二つのスライド板とが設置され、前記カムの中には上方へ開口した弧状溝が設置され、前記伝動チャンバの上端壁には下端が前記弧状溝の中に位置しており、且つ前記カムの回転を制限する固定ロッドが固定され、前記固定ロッドと右側の前記スライド板との間が弾性ひもにより連結され、前記弧状溝の中にはまた下端が前記弧状溝と前記カムとを貫通しており、且つ前記駆動チャンバの中に位置している台形ロッドが設置され、前記駆動チャンバの中には前記台形ロッドに影響されて上下に運動する環状板が設置され、前記環状板の下側には第一リールが設置され、前記第一リールの中には円形チャンバが設置され、前記円形チャンバの上端壁の中には前記駆動チャンバに連通している二つの昇降溝が設置され、前記昇降溝の両側端壁の中にはいずれもバネ溝が設置され、前記昇降溝の中には上端が前記環状板に連結された昇降ロッドが設置され、前記昇降ロッドの下端には一端が前記バネ溝の中に位置している二つのバネブロックが固定され、前記バネ溝の中には前記バネ板を支持する支持バネが設置され、前記第一リールには三本のロープが巻きついており、前記カムが前記駆動機構の連動のもとで運動を制御し、これにより前記スライド板又は前記第一リールとを制御して回転させ、これにより前記よじ登り機構への制御を実現し、前記昇降器の昇降を完成し、
前記昇降器の中にはまた空気質を測定できる測定機構が設置され、前記よじ登り機構の昇降において、異なる高度の空気質の測定を実現する。
【０００７】
好ましくは、前記よじ登り機構は二本のローラと、二本の従動軸と、三本の昇降バネと、二つの挟みブロックと、三つの電磁石と、二つの伸縮バネとを含み、前記昇降器の中には右方へ開口した従動溝が設置され、前記伝動チャンバの前後端壁の中にはいずれも前記伝動チャンバに連通しているスライド溝が設置され、前記伝動チャンバと前記従動溝の中にはいずれも前記従動軸が設置され、右側の前記従動軸の前後両端がそれぞれ前記スライド溝の中に位置しており、且つ前記スライド溝の中には前記従動軸を復帰させることができる前記伸縮バネが設置され、前記従動軸には一端が前記ライトロッドと接触した前記ローラがスライドできるように連結され、前記昇降器の中には下方へ開口した三つの伸縮チャンバが設置され、前記支持ブロックの上端面には上端が前記伸縮チャンバの上端壁と連結された前記伸縮バネが固定され、前記ロープの左端がそれぞれ前記伸縮チャンバの上端壁を貫通しており、且つ前記支持ブロックと連結され、前記支持ブロックの中には前記貫通孔に連通した三つの電磁溝が設置され、前記電磁溝の片側端壁には前記電磁石が固定され、前記電磁溝の中にはまた一端が前記ライトロッドと接触した前記挟みブロックがスライドできるように連結された。
【０００８】
好ましくは、前記伝動機構はまた前記伝動チャンバの右端壁の中に植設された接触スイッチを含み、前記接触スイッチが右側の前記スライド板と接触した後に前記電磁石を作動させる。
【０００９】
好ましくは、前記駆動機構は駆動モータを含み、前記駆動モータの上端には駆動軸が動力が伝達できるように連結され、前記駆動軸の上端が前記第一リールと、前記環状板と、前記カムとを貫通しており、且つ前記伝動チャンバの上端壁と回転できるように連結され、前記カムが前記駆動軸とスライドできるように連結され、前記駆動軸の上端が前記円形チャンバを貫通しており、且つ前記駆動軸の上端には一端が前記円形チャンバの中に位置している二つの固定ブロックが固定され、前記駆動軸の下端には第一ベルトプーリが固定され、前記駆動チャンバの右端壁の中には回転チャンバが設置され、前記回転チャンバの下端壁には回転軸が回転できるように連結され、前記回転軸の上端には第二ベルトプーリと第一ベベルギヤとが固定され、前記第二ベルトプーリと前記第一ベルトプーリとの間が第一ベルトにより連結され、前記第一ベベルギヤの後端には第二ベベルギヤが噛み合うように連結され、前記第二ベベルギヤの中心には前後両端がそれぞれ前記回転チャンバの前後端壁と回転できるように連結された回転軸が固定的に連結され、前記回転軸の前後両端には第三ベルトプーリが固定され、前記回転軸の後端には摩擦電磁輪がスライドできるように連結され、前記摩擦電磁輪の上端には前記摩擦電磁輪と接触した従動輪が設置され、前記従動輪の中心には後端が前記回転チャンバの後端壁と回転できるように連結された連結軸が固定され、前記連結軸と前記回転チャンバの後端壁とが捻りバネにより連結され、前記連結軸にはまた二つの第二リールが固定され、後側の前記第二リールには前記鎖が巻きついており、前側の前記第二リールには前記細ひもが巻きついている。
【００１０】
好ましくは、前記測定機構は測定チャンバを含み、前記測定チャンバの前後端壁にはいずれも外部空間に連通した通気チャンバが設置され、前記通気チャンバの左端壁には固定板が固定され、前記固定板の右端には前記固定板の右端を貫通している伝動軸が設置され、前記伝動軸の一端にはファン羽根が固定され、前記伝動軸のもう一端には第四ベルトプーリが固定され、前記第四ベルトプーリと前記第三ベルトプーリとの間が第二ベルトにより連結され、前記測定チャンバの上端壁には下方へ開口した押し出し溝が設置され、前記押し出し溝の中には下端が前記測定チャンバの中に位置している測定器と、前記測定器を復帰させることができる圧縮バネとが設置され、前記細ひもの上端が前記押し出し溝の上端壁を貫通しており、且つ前記測定器と連結され、前記測定チャンバの上端壁の中にはまた前記押し出し溝を貫通している移動チャンバが設置され、前記移動チャンバの中には前記押し出し溝を閉鎖できる閉鎖板と、前記閉鎖板を復帰させることができる連結バネとが設置され、前記鎖の一端が前記移動チャンバの左端壁を貫通しており、且つ前記閉鎖板と連結された。
【００１１】
好ましくは、初期状態において、前記昇降器と前記支持ブロックとの間には一定の距離が存在しており、且つ前記挟みブロックが前記ライトロッドをきくつ挟んでいなく、前記ローラが前記ライトロッドをきくつ挟んで前記昇降器の安定を保証する。
【００１２】
好ましくは、前記捻りバネの弾力が前記連結バネの弾力よりはるかに大きい。
【００１３】
好ましくは、前記ローラが前記ライトロッドをきつく挟む時、前記ローラと前記ライトロッドとの間の摩擦力が前記昇降器と前記支持ブロックとの重力の和よりはるかに大きい。
【発明の効果】
【００１４】
本発明の有益効果は：当該装置は構成が簡単であり、操作が便利であり、当該装置は自動的に異なる高さの空気質を測定でき、これにより得たデータが多様化し、データの分析結果をより精確にし、機械の伝動により、測定の効率を上げ、しかも異なる高さで、機械の伝動により測定チャンバの中の空気を速く変え、測定のデータの精確を保証する。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例の測定機構の全断面の左側面拡大構成模式図
【図３】図３は本発明の実施例の回転チャンバの全断面の左側面拡大構成模式図
【図４】図４は本発明の実施例のカムの上面拡大構成模式図
【図５】図５は本発明の実施例のカムの全断面の左側面拡大構成模式図
【図６】図６は本発明の実施例の伝動機構の部分断面の正面拡大構成模式図
【図７】図７は本発明の実施例のスライド溝の全断面の正面拡大構成模式図
【発明を実施するための形態】
【００１７】
図１〜７を参照し、本発明のオンライン式多高度環境質の測定分析端末は、昇降器１と前記昇降器１を支持する支持ブロック８とを含み、前記昇降器１と前記支持ブロック８の中には後方へ開口した貫通孔５が設置され、前記貫通孔５の中には二つの前記貫通孔５を貫通しているライトロッド３が設置され、前記昇降器１の中には前記昇降器１を前記ライトロッド３で運動させることができるよじ登り機構６５が設置され、前記昇降器１の中には装置の作動に動力を提供する駆動機構６７が設置され、前記昇降器１の中にはまた前記よじ登り機構６５を制御して作動させる伝動機構６６が設置され、前記伝動機構６６は伝動チャンバ３８と前記伝動チャンバ３８に連通している駆動チャンバ１２とを含み、前記伝動チャンバ３８の中にはカム４０と前記カム４０により制御されて運動する二つのスライド板３９とが設置され、前記カム４０の中には上方へ開口した弧状溝５５が設置され、前記伝動チャンバ３８の上端壁には下端が前記弧状溝５５の中に位置しており、且つ前記カム４０の回転を制限する固定ロッド４２が固定され、前記固定ロッド４２と右側の前記スライド板３９との間が弾性ひも７１により連結され、前記弧状溝５５の中にはまた下端が前記弧状溝５５と前記カム４０とを貫通しており、且つ前記駆動チャンバ１２の中に位置している台形ロッド５３が設置され、前記駆動チャンバ１２の中には前記台形ロッド５３に影響されて上下に運動する環状板５６が設置され、前記環状板５６の下側には第一リール６４が設置され、前記第一リール６４の中には円形チャンバ６２が設置され、前記円形チャンバ６２の上端壁の中には前記駆動チャンバ１２に連通している二つの昇降溝６１が設置され、前記昇降溝６１の両側端壁の中にはいずれもバネ溝６０が設置され、前記昇降溝６１の中には上端が前記環状板５６に連結された昇降ロッド５７が設置され、前記昇降ロッド５７の下端には一端が前記バネ溝６０の中に位置している二つのバネブロック５８が固定され、前記バネ溝６０の中には前記バネ板５８を支持する支持バネ５９が設置され、前記第一リール６４には三本のロープ７が巻きついており、前記カム４０が前記駆動機構６７の連動のもとで運動を制御し、これにより前記スライド板３９又は前記第一リール６４とを制御して回転させ、これにより前記よじ登り機構６５への制御を実現し、前記昇降器１の昇降を完成し、前記昇降器１の中にはまた空気質を測定できる測定機構６８が設置され、前記よじ登り機構６５の昇降において、異なる高度の空気質の測定を実現する。
【００１８】
有益的には、前記よじ登り機構６５は二本のローラ４５と、二本の従動軸４６と、三本の昇降バネ６と、二つの挟みブロック１１と、三つの電磁石１０と、二つの伸縮バネ４４とを含み、前記昇降器１の中には右方へ開口した従動溝２が設置され、前記伝動チャンバ３８の前後端壁の中にはいずれも前記伝動チャンバ３８に連通しているスライド溝４３が設置され、前記伝動チャンバ３８と前記従動溝２の中にはいずれも前記従動軸４６が設置され、右側の前記従動軸４６の前後両端がそれぞれ前記スライド溝４３の中に位置しており、且つ前記スライド溝４３の中には前記従動軸４６を復帰させることができる前記伸縮バネ４４が設置され、前記従動軸４６には一端が前記ライトロッド３と接触した前記ローラ４５がスライドできるように連結され、前記昇降器１の中には下方へ開口した三つの伸縮チャンバ４が設置され、前記支持ブロック８の上端面には上端が前記伸縮チャンバ４の上端壁と連結された前記伸縮バネ４４が固定され、前記ロープ７の左端がそれぞれ前記伸縮チャンバ４の上端壁を貫通しており、且つ前記支持ブロック８と連結され、前記支持ブロック８の中には前記貫通孔５に連通した三つの電磁溝９が設置され、前記電磁溝９の片側端壁には前記電磁石１０が固定され、前記電磁溝９の中にはまた一端が前記ライトロッド３と接触した前記挟みブロック１１がスライドできるように連結された。
【００１９】
有益的には、前記伝動機構６６はまた前記伝動チャンバ３８の右端壁の中に植設された接触スイッチ３７を含み、前記接触スイッチ３７が右側の前記スライド板３９と接触した後に前記電磁石を作動させる。
【００２０】
有益的には、前記駆動機構６７は駆動モータ１４を含み、前記駆動モータ１４の上端には駆動軸１３が動力が伝達できるように連結され、前記駆動軸１３の上端が前記第一リール６４と、前記環状板５６と、前記カム４０とを貫通しており、且つ前記伝動チャンバ３８の上端壁と回転できるように連結され、前記カム４０が前記駆動軸１３とスライドできるように連結され、前記駆動軸１３の上端が前記円形チャンバ６２を貫通しており、且つ前記駆動軸１３の上端には一端が前記円形チャンバ６２の中に位置している二つの固定ブロック６３が固定され、前記駆動軸１３の下端には第一ベルトプーリ１５が固定され、前記駆動チャンバ１２の右端壁の中には回転チャンバ１８が設置され、前記回転チャンバ１８の下端壁には回転軸１７が回転できるように連結され、前記回転軸１７の上端には第二ベルトプーリ１９と第一ベベルギヤ２０とが固定され、前記第二ベルトプーリ１９と前記第一ベルトプーリ１５との間が第一ベルト１６により連結され、前記第一ベベルギヤ２０の後端には第二ベベルギヤ２２が噛み合うように連結され、前記第二ベベルギヤ２２の中心には前後両端がそれぞれ前記回転チャンバ１８の前後端壁と回転できるように連結された回転軸２１が固定的に連結され、前記回転軸２１の前後両端には第三ベルトプーリ５２が固定され、前記回転軸２１の後端には摩擦電磁輪７０がスライドできるように連結され、前記摩擦電磁輪７０の上端には前記摩擦電磁輪７０と接触した従動輪４７が設置され、前記従動輪４７の中心には後端が前記回転チャンバ１８の後端壁と回転できるように連結された連結軸４９が固定され、前記連結軸４９と前記回転チャンバ１８の後端壁とが捻りバネ５０により連結され、前記連結軸４９にはまた二つの第二リール４８が固定され、後側の前記第二リール４８には前記鎖５１が巻きついており、前側の前記第二リール４８には前記細ひも３２が巻きついている。
【００２１】
有益的には、前記測定機構６８は測定チャンバ２７を含み、前記測定チャンバ２７の前後端壁にはいずれも外部空間に連通した通気チャンバ２３が設置され、前記通気チャンバ２３の左端壁には固定板２８が固定され、前記固定板２８の右端には前記固定板２８の右端を貫通している伝動軸２５が設置され、前記伝動軸２５の一端にはファン羽根２６が固定され、前記伝動軸２５のもう一端には第四ベルトプーリ２４が固定され、前記第四ベルトプーリ２４と前記第三ベルトプーリ５２との間が第二ベルト６９により連結され、前記測定チャンバ２７の上端壁には下方へ開口した押し出し溝３１が設置され、前記押し出し溝３１の中には下端が前記測定チャンバ２７の中に位置している測定器３０と、前記測定器３０を復帰させることができる圧縮バネ３３とが設置され、前記細ひも３２の上端が前記押し出し溝３１の上端壁を貫通しており、且つ前記測定器３０と連結され、前記測定チャンバ２７の上端壁の中にはまた前記押し出し溝３１を貫通している移動チャンバ２９が設置され、前記移動チャンバ２９の中には前記押し出し溝３１を閉鎖できる閉鎖板３４と、前記閉鎖板３４を復帰させることができる連結バネ３５とが設置され、前記鎖５１の一端が前記移動チャンバ２９の左端壁を貫通しており、且つ前記閉鎖板３４と連結された。
【００２２】
装置全体の機械動作の順序は：
【００２３】
１．昇降器１は測定機構６８により昇降器１が固定されたところの高度の空気質を測定する時、駆動モータ１４が作動して駆動軸１３を連動させて時計回りに回転させ、これにより第一ベルトプーリ１５を連動させて回転させ、しかし、カム４０が固定ロッド４２の制限により回転できなく、昇降ロッド５７は台形ロッド５３が固定ロッド４２に連動されて下降するため、前記固定ブロック６３の回転を制限し、これにより固定ブロック６３が第一リール６４を連動させて回転させ、第一リール６４が回転してロープ７をしっかりと巻き、右側のスライド板３８が接触スイッチ３７と接触し、これによりこの時に電磁石１０と挟みブロック１１とが互いに反発しなく、左側のスライド板３８が右側のローラ４５と密着し、これにより二つのローラ４５がライトロッド３をきつく挟み、これにより昇降器１の落下を防止する。
【００２４】
２．第一ベルトプーリ１５が回転して第二ベルトプーリ１９の回転を連動させ、これにより回転軸１７と、第一ベベルギヤ２０と、第二ベベルギヤ２２とを連動させて回転させ、これにより回転軸２１を回転させ、この時、摩擦電磁輪７０が作動して回転軸２１と吸引しあい、これにより二つの第三ベルトプーリ５２と摩擦電磁輪７０とを連動させて回転させ、第三ベルトプーリ５２の回転により第四ベルトプーリ２４を回転させ、これにより伝動軸２５とファン羽根２６とを回転させ、これにより二つのファン羽根２６の伝動により測定チャンバ２７と通気チャンバ２３の中の空気を流通させ、且つ当該高度の空気を充満させ、摩擦電磁輪７０の回転が連結軸４９と、第二リール４８と、従動輪４７とを連動させて回転させ、捻りバネ５０が捻られ、これにより細ひも３２をしっかりと巻き、閉鎖板３４を放し、これにより測定器３０を押し出し溝３１の中に戻し、閉鎖板３４が押し出し溝３１を閉鎖し、これにより測定チャンバ２７の中の空気が流通する時、測定器３０の作動に影響しない。
【００２５】
３．駆動軸１３が時計回りに回転する時に第一リール６４は支持ブロック８と昇降器１とが接触するまでロープ７をしっかりと巻き、空気流通が完成した後、駆動モータ１４が停止し、これにより摩擦電磁輪７０と従動輪４７との間が伝動しなくなり、これにより捻りバネ５０を復帰させ、この時に摩擦電磁輪７０が作動しなく、これにより連結軸４９を復帰させ、これにより細ひも３２を緩め、鎖５１をしっかりと巻き、これにより閉鎖板３４を押し出し溝３１から離れさせ、測定器３０の一端が測定チャンバ２７の中に位置して空気質を測定する。
【００２６】
４．昇降器１が上昇する時、駆動モータ１４が作動して駆動軸１３を連動させて反時計回りに回転させ、これによりカム４０を反時計回りに回転させ、これにより固定ロッド４２が弧状溝５５の中でスライドし、固定ロッド４２と台形ロッド５３とが分離し、これにより昇降ロッド５７と、環状板５６と、台形ロッド５３とを支持バネ５９の作用のもと上方へ運動させ、これにより昇降ロッド５７が固定ブロック６３の回転を制限しなく、カム４０の回転により左側のスライド板３９が右側のローラ４５と密着しなく、右側のスライド板３９が弾性ひも７１の作用のもとで左方へ運動し、接触スイッチ３７と接触しなくなり、これにより接触スイッチ３７は電磁石１０と挟みブロック１１とが反発しあうように制御し、挟みブロック１１がライトロッド３をきくつ挟む。
【００２７】
５．昇降ロッド５７が固定ブロック６３と接触しないため、挟みブロック１１がライトロッド３をきくつ挟み、ローラ４５がライトロッド３をきつく挟まなくなり、これにより三つの昇降バネ６を復帰させ、昇降器１を連動させて上方へ運動させ、ロープ７が長く引っ張られ、第一リール６４が回転する。
【００２８】
６．昇降バネ６が復帰した後、駆動モータ１４が作動して駆動軸１３を連動させて時計回りに回転させ、これにより伝動機構６６を復帰させ、これによりローラ６５が改めてライトロッド３をきくつ挟み、接触スイッチ３７が再び右側のスライド板３９と接触し、これにより電磁石１０と挟みブロック１１とが互いに反発しなく、昇降ロッド５７が再び固定ブロック６３の回転を制限するため、駆動軸１３が時計回りに回転して第一リール６４を連動させて回転させ、これによりロープ７をしっかりと巻き、これにより支持ブロック８を連動させて上方へ運動させ、昇降バネ６が圧縮され、支持ブロック８が一定の程度まで上昇した後で駆動モータ１４が停止し、支持ブロック８と昇降器７との間が一定の距離を保持し、そして昇降器１の上昇を完成する。
【００２９】
７．昇降器１が一定の高度まで上昇し、再び測定チャンバ２７の中の空気を流通させ、これにより当該測定チャンバ２７の中の空気を当該高度の空気に変え、そして測定器３０が当該高度の空気質を測定し、このように繰り返し、異なる高度の空気質を測定でき、データを得て、測ったデータをもっと詳しくする。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020197516.tif 000003
【図２】
2020197516.tif 000004
【図３】
2020197516.tif 000005
【図４】
2020197516.tif 000006
【図５】
2020197516.tif 000007
【図６】
2020197516.tif 000008
【図７】
2020197516.tif 000009
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
正面視で、昇降器と前記昇降器を支持する支持ブロックとを含み、前記昇降器と前記支持ブロックの中には後方へ開口した貫通孔が設置され、前記貫通孔の中には二つの前記貫通孔を貫通しているライトロッドが設置され、
前記昇降器の中には前記昇降器を前記ライトロッドで運動させることができるよじ登り機構が設置され、
前記昇降器の中には装置の作動に動力を提供する駆動機構が設置され、前記昇降器の中にはまた前記よじ登り機構を制御して作動させる伝動機構が設置され、前記伝動機構は伝動チャンバと前記伝動チャンバに連通している駆動チャンバとを含み、前記伝動チャンバの中にはカムと前記カムにより制御されて運動する二つのスライド板とが設置され、前記カムの中には上方へ開口した弧状溝が設置され、前記伝動チャンバの上端壁には下端が前記弧状溝の中に位置しており、且つ前記カムの回転を制限する固定ロッドが固定され、前記固定ロッドと右側の前記スライド板との間が弾性ひもにより連結され、前記弧状溝の中にはまた下端が前記弧状溝と前記カムとを貫通しており、且つ前記駆動チャンバの中に位置している台形ロッドが設置され、前記駆動チャンバの中には前記台形ロッドに影響されて上下に運動する環状板が設置され、前記環状板の下側には第一リールが設置され、前記第一リールの中には円形チャンバが設置され、前記円形チャンバの上端壁の中には前記駆動チャンバに連通している二つの昇降溝が設置され、前記昇降溝の両側端壁の中にはいずれもバネ溝が設置され、前記昇降溝の中には上端が前記環状板に連結された昇降ロッドが設置され、前記昇降ロッドの下端には一端が前記バネ溝の中に位置している二つのバネブロックが固定され、前記バネ溝の中には前記バネブロックを支持する支持バネが設置され、前記第一リールには三本のロープが巻きついており、前記カムが前記駆動機構の連動のもとで運動を制御し、これにより前記スライド板又は前記第一リールとを制御して回転させ、これにより前記よじ登り機構への制御を実現し、前記昇降器の昇降を完成し、
前記昇降器の中にはまた空気質を測定できる測定機構が設置され、前記よじ登り機構の昇降において、異なる高度の空気質の測定を実現することを特徴とするオンライン式多高度環境質の測定分析端末。
【請求項２】
前記よじ登り機構は二本のローラと、二本の従動軸と、三本の昇降バネと、二つの挟みブロックと、三つの電磁石と、二つの伸縮バネとを含み、前記昇降器の中には右方へ開口した従動溝が設置され、前記伝動チャンバの前後端壁の中にはいずれも前記伝動チャンバに連通しているスライド溝が設置され、前記伝動チャンバと前記従動溝の中にはいずれも前記従動軸が設置され、右側の前記従動軸の前後両端がそれぞれ前記スライド溝の中に位置しており、且つ前記スライド溝の中には前記従動軸を復帰させることができる前記伸縮バネが設置され、前記従動軸には一端が前記ライトロッドと接触した前記ローラがスライドできるように連結され、前記昇降器の中には下方へ開口した三つの伸縮チャンバが設置され、前記支持ブロックの上端面には上端が前記伸縮チャンバの上端壁と連結された前記伸縮バネが固定され、前記ロープの左端がそれぞれ前記伸縮チャンバの上端壁を貫通しており、且つ前記支持ブロックと連結され、前記支持ブロックの中には前記貫通孔に連通した三つの電磁溝が設置され、前記電磁溝の片側端壁には前記電磁石が固定され、前記電磁溝の中にはまた一端が前記ライトロッドと接触した前記挟みブロックがスライドできるように連結されたことを特徴とする請求項１に記載のオンライン式多高度環境質の測定分析端末。
【請求項３】
前記伝動機構はまた前記伝動チャンバの右端壁の中に植設された接触スイッチを含み、前記接触スイッチが右側の前記スライド板と接触した後に前記電磁石を作動させることを特徴とする請求項２に記載のオンライン式多高度環境質の測定分析端末。
【請求項４】
前記駆動機構は駆動モータを含み、前記駆動モータの上端には駆動軸が動力が伝達できるように連結され、前記駆動軸の上端が前記第一リールと、前記環状板と、前記カムとを貫通しており、且つ前記伝動チャンバの上端壁と回転できるように連結され、前記カムが前記駆動軸とスライドできるように連結され、前記駆動軸の上端が前記円形チャンバを貫通しており、且つ前記駆動軸の上端には一端が前記円形チャンバの中に位置している二つの固定ブロックが固定され、前記駆動軸の下端には第一ベルトプーリが固定され、前記駆動チャンバの右端壁の中には回転チャンバが設置され、前記回転チャンバの下端壁には回転軸が回転できるように連結され、前記回転軸の上端には第二ベルトプーリと第一ベベルギヤとが固定され、前記第二ベルトプーリと前記第一ベルトプーリとの間が第一ベルトにより連結され、前記第一ベベルギヤの後端には第二ベベルギヤが噛み合うように連結され、前記第二ベベルギヤの中心には前後両端がそれぞれ前記回転チャンバの前後端壁と回転できるように連結された回転軸が固定的に連結され、前記回転軸の前後両端には第三ベルトプーリが固定され、前記回転軸の後端には摩擦電磁輪がスライドできるように連結され、前記摩擦電磁輪の上端には前記摩擦電磁輪と接触した従動輪が設置され、前記従動輪の中心には後端が前記回転チャンバの後端壁と回転できるように連結された連結軸が固定され、前記連結軸と前記回転チャンバの後端壁とが捻りバネにより連結され、前記連結軸にはまた二つの第二リールが固定され、後側の前記第二リールには鎖が巻きついており、前側の前記第二リールには細ひもが巻きついていることを特徴とする請求項１に記載のオンライン式多高度環境質の測定分析端末。
【請求項５】
前記測定機構は測定チャンバを含み、前記測定チャンバの前後端壁にはいずれも外部空間に連通した通気チャンバが設置され、前記通気チャンバの左端壁には固定板が固定され、前記固定板の右端には前記固定板の右端を貫通している伝動軸が設置され、前記伝動軸の一端にはファン羽根が固定され、前記伝動軸のもう一端には第四ベルトプーリが固定され、前記第四ベルトプーリと前記第三ベルトプーリとの間が第二ベルトにより連結され、前記測定チャンバの上端壁には下方へ開口した押し出し溝が設置され、前記押し出し溝の中には下端が前記測定チャンバの中に位置している測定器と、前記測定器を復帰させることができる圧縮バネとが設置され、前記細ひもの上端が前記押し出し溝の上端壁を貫通しており、且つ前記測定器と連結され、前記測定チャンバの上端壁の中にはまた前記押し出し溝を貫通している移動チャンバが設置され、前記移動チャンバの中には前記押し出し溝を閉鎖できる閉鎖板と、前記閉鎖板を復帰させることができる連結バネとが設置され、前記鎖の一端が前記移動チャンバの左端壁を貫通しており、且つ前記閉鎖板と連結されたことを特徴とする請求項４に記載のオンライン式多高度環境質の測定分析端末。
【請求項６】
初期状態において、前記昇降器と前記支持ブロックとの間には一定の距離が存在しており、且つ前記挟みブロックが前記ライトロッドをきつく挟んでいなく、前記ローラが前記ライトロッドをきつく挟んで前記昇降器の安定を保証することを特徴とする請求項２に記載のオンライン式多高度環境質の測定分析端末。
【請求項７】
前記捻りバネの弾力が前記連結バネの弾力よりはるかに大きいことを特徴とする請求項５に記載のオンライン式多高度環境質の測定分析端末。
【請求項８】
前記ローラが前記ライトロッドをきつく挟む時、前記ローラと前記ライトロッドとの間の摩擦力が前記昇降器と前記支持ブロックとの重力の和よりはるかに大きいことを特徴とする請求項２に記載のオンライン式多高度環境質の測定分析端末。
【手続補正２】
【補正対象書類名】明細書
【補正対象項目名】全文
【補正方法】変更
【補正の内容】
【発明の詳細な説明】
【技術分野】
【０００１】
本発明は測定分野を取り上げて、具体的にはオンライン式多高度環境質の測定分析端末である。
【背景技術】
【０００２】
空気質指数は当該地域の空気質を反映し、当該地域の環境質と生活の快適さを直観的に判断できる。
しかし、現在の空気質測定装置は、ほとんどは単一高度で測ることしかできなく、これにより測った空気質のデータが精確ではなくなり、データを分析した後の結果は当該地域の空気質を精確に反映できなく、また異なる高度の空気質を測定する時、他の装置で補助する必要が有り、仕事の効率を下げ、しかも測定のコストが増える。
【先行技術文献】
【特許文献】
【０００３】
【特許文献１】中国特許出願公開第１０９５４１１４４号明細書
【発明の概要】
【発明が解決しようとする課題】
【０００４】
本発明が解決しようとする技術問題はオンライン式多高度環境質の測定分析端末を提供し、測定効率が低く、且つ測定のデータが単一である問題を克服する問題であり、これにより測定の効率と精度を高める。
【課題を解決するための手段】
【０００５】
本発明は以下の技術プランを通じて実現される。
【０００６】
本発明のオンライン式多高度環境質の測定分析端末は、昇降器と前記昇降器を支持する支持ブロックとを含み、前記昇降器と前記支持ブロックの中には後方へ開口した貫通孔が設置され、前記貫通孔の中には二つの前記貫通孔を貫通しているライトロッドが設置され、
前記昇降器の中には前記昇降器を前記ライトロッドで運動させることができるよじ登り機構が設置され、
前記昇降器の中には装置の作動に動力を提供する駆動機構が設置され、前記昇降器の中にはまた前記よじ登り機構を制御して作動させる伝動機構が設置され、前記伝動機構は伝動チャンバと前記伝動チャンバに連通している駆動チャンバとを含み、前記伝動チャンバの中にはカムと前記カムにより制御されて運動する二つのスライド板とが設置され、前記カムの中には上方へ開口した弧状溝が設置され、前記伝動チャンバの上端壁には下端が前記弧状溝の中に位置しており、且つ前記カムの回転を制限する固定ロッドが固定され、前記固定ロッドと右側の前記スライド板との間が弾性ひもにより連結され、前記弧状溝の中にはまた下端が前記弧状溝と前記カムとを貫通しており、且つ前記駆動チャンバの中に位置している台形ロッドが設置され、前記駆動チャンバの中には前記台形ロッドに影響されて上下に運動する環状板が設置され、前記環状板の下側には第一リールが設置され、前記第一リールの中には円形チャンバが設置され、前記円形チャンバの上端壁の中には前記駆動チャンバに連通している二つの昇降溝が設置され、前記昇降溝の両側端壁の中にはいずれもバネ溝が設置され、前記昇降溝の中には上端が前記環状板に連結された昇降ロッドが設置され、前記昇降ロッドの下端には一端が前記バネ溝の中に位置している二つのバネブロックが固定され、前記バネ溝の中には前記バネブロックを支持する支持バネが設置され、前記第一リールには三本のロープが巻きついており、前記カムが前記駆動機構の連動のもとで運動を制御し、これにより前記スライド板又は前記第一リールとを制御して回転させ、これにより前記よじ登り機構への制御を実現し、前記昇降器の昇降を完成し、
前記昇降器の中にはまた空気質を測定できる測定機構が設置され、前記よじ登り機構の昇降において、異なる高度の空気質の測定を実現する。
【０００７】
好ましくは、前記よじ登り機構は二本のローラと、二本の従動軸と、三本の昇降バネと、二つの挟みブロックと、三つの電磁石と、二つの伸縮バネとを含み、前記昇降器の中には右方へ開口した従動溝が設置され、前記伝動チャンバの前後端壁の中にはいずれも前記伝動チャンバに連通しているスライド溝が設置され、前記伝動チャンバと前記従動溝の中にはいずれも前記従動軸が設置され、右側の前記従動軸の前後両端がそれぞれ前記スライド溝の中に位置しており、且つ前記スライド溝の中には前記従動軸を復帰させることができる前記伸縮バネが設置され、前記従動軸には一端が前記ライトロッドと接触した前記ローラがスライドできるように連結され、前記昇降器の中には下方へ開口した三つの伸縮チャンバが設置され、前記支持ブロックの上端面には上端が前記伸縮チャンバの上端壁と連結された前記伸縮バネが固定され、前記ロープの左端がそれぞれ前記伸縮チャンバの上端壁を貫通しており、且つ前記支持ブロックと連結され、前記支持ブロックの中には前記貫通孔に連通した三つの電磁溝が設置され、前記電磁溝の片側端壁には前記電磁石が固定され、前記電磁溝の中にはまた一端が前記ライトロッドと接触した前記挟みブロックがスライドできるように連結された。
【０００８】
好ましくは、前記伝動機構はまた前記伝動チャンバの右端壁の中に植設された接触スイッチを含み、前記接触スイッチが右側の前記スライド板と接触した後に前記電磁石を作動させる。
【０００９】
好ましくは、前記駆動機構は駆動モータを含み、前記駆動モータの上端には駆動軸が動力が伝達できるように連結され、前記駆動軸の上端が前記第一リールと、前記環状板と、前記カムとを貫通しており、且つ前記伝動チャンバの上端壁と回転できるように連結され、前記カムが前記駆動軸とスライドできるように連結され、前記駆動軸の上端が前記円形チャンバを貫通しており、且つ前記駆動軸の上端には一端が前記円形チャンバの中に位置している二つの固定ブロックが固定され、前記駆動軸の下端には第一ベルトプーリが固定され、前記駆動チャンバの右端壁の中には回転チャンバが設置され、前記回転チャンバの下端壁には回転軸が回転できるように連結され、前記回転軸の上端には第二ベルトプーリと第一ベベルギヤとが固定され、前記第二ベルトプーリと前記第一ベルトプーリとの間が第一ベルトにより連結され、前記第一ベベルギヤの後端には第二ベベルギヤが噛み合うように連結され、前記第二ベベルギヤの中心には前後両端がそれぞれ前記回転チャンバの前後端壁と回転できるように連結された回転軸が固定的に連結され、前記回転軸の前後両端には第三ベルトプーリが固定され、前記回転軸の後端には摩擦電磁輪がスライドできるように連結され、前記摩擦電磁輪の上端には前記摩擦電磁輪と接触した従動輪が設置され、前記従動輪の中心には後端が前記回転チャンバの後端壁と回転できるように連結された連結軸が固定され、前記連結軸と前記回転チャンバの後端壁とが捻りバネにより連結され、前記連結軸にはまた二つの第二リールが固定され、後側の前記第二リールには鎖が巻きついており、前側の前記第二リールには細ひもが巻きついている。
【００１０】
好ましくは、前記測定機構は測定チャンバを含み、前記測定チャンバの前後端壁にはいずれも外部空間に連通した通気チャンバが設置され、前記通気チャンバの左端壁には固定板が固定され、前記固定板の右端には前記固定板の右端を貫通している伝動軸が設置され、前記伝動軸の一端にはファン羽根が固定され、前記伝動軸のもう一端には第四ベルトプーリが固定され、前記第四ベルトプーリと前記第三ベルトプーリとの間が第二ベルトにより連結され、前記測定チャンバの上端壁には下方へ開口した押し出し溝が設置され、前記押し出し溝の中には下端が前記測定チャンバの中に位置している測定器と、前記測定器を復帰させることができる圧縮バネとが設置され、前記細ひもの上端が前記押し出し溝の上端壁を貫通しており、且つ前記測定器と連結され、前記測定チャンバの上端壁の中にはまた前記押し出し溝を貫通している移動チャンバが設置され、前記移動チャンバの中には前記押し出し溝を閉鎖できる閉鎖板と、前記閉鎖板を復帰させることができる連結バネとが設置され、前記鎖の一端が前記移動チャンバの左端壁を貫通しており、且つ前記閉鎖板と連結された。
【００１１】
好ましくは、初期状態において、前記昇降器と前記支持ブロックとの間には一定の距離が存在しており、且つ前記挟みブロックが前記ライトロッドをきつく挟んでいなく、前記ローラが前記ライトロッドをきつく挟んで前記昇降器の安定を保証する。
【００１２】
好ましくは、前記捻りバネの弾力が前記連結バネの弾力よりはるかに大きい。
【００１３】
好ましくは、前記ローラが前記ライトロッドをきつく挟む時、前記ローラと前記ライトロッドとの間の摩擦力が前記昇降器と前記支持ブロックとの重力の和よりはるかに大きい。
【発明の効果】
【００１４】
本発明の有益効果は：当該装置は構成が簡単であり、操作が便利であり、当該装置は自動的に異なる高さの空気質を測定でき、これにより得たデータが多様化し、データの分析結果をより精確にし、機械の伝動により、測定の効率を上げ、しかも異なる高さで、機械の伝動により測定チャンバの中の空気を速く変え、測定のデータの精確を保証する。
【図面の簡単な説明】
【００１５】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例の測定機構の全断面の左側面拡大構成模式図
【図３】図３は本発明の実施例の回転チャンバの全断面の左側面拡大構成模式図
【図４】図４は本発明の実施例のカムの上面拡大構成模式図
【図５】図５は本発明の実施例のカムの全断面の左側面拡大構成模式図
【図６】図６は本発明の実施例の伝動機構の部分断面の正面拡大構成模式図
【図７】図７は本発明の実施例のスライド溝の全断面の正面拡大構成模式図
【発明を実施するための形態】
【００１７】
図１〜７を参照し、本発明のオンライン式多高度環境質の測定分析端末は、昇降器１と前記昇降器１を支持する支持ブロック８とを含み、前記昇降器１と前記支持ブロック８の中には後方へ開口した貫通孔５が設置され、前記貫通孔５の中には二つの前記貫通孔５を貫通しているライトロッド３が設置され、前記昇降器１の中には前記昇降器１を前記ライトロッド３で運動させることができるよじ登り機構６５が設置され、前記昇降器１の中には装置の作動に動力を提供する駆動機構６７が設置され、前記昇降器１の中にはまた前記よじ登り機構６５を制御して作動させる伝動機構６６が設置され、前記伝動機構６６は伝動チャンバ３８と前記伝動チャンバ３８に連通している駆動チャンバ１２とを含み、前記伝動チャンバ３８の中にはカム４０と前記カム４０により制御されて運動する二つのスライド板３９とが設置され、前記カム４０の中には上方へ開口した弧状溝５５が設置され、前記伝動チャンバ３８の上端壁には下端が前記弧状溝５５の中に位置しており、且つ前記カム４０の回転を制限する固定ロッド４２が固定され、前記固定ロッド４２と右側の前記スライド板３９との間が弾性ひも７１により連結され、前記弧状溝５５の中にはまた下端が前記弧状溝５５と前記カム４０とを貫通しており、且つ前記駆動チャンバ１２の中に位置している台形ロッド５３が設置され、前記駆動チャンバ１２の中には前記台形ロッド５３に影響されて上下に運動する環状板５６が設置され、前記環状板５６の下側には第一リール６４が設置され、前記第一リール６４の中には円形チャンバ６２が設置され、前記円形チャンバ６２の上端壁の中には前記駆動チャンバ１２に連通している二つの昇降溝６１が設置され、前記昇降溝６１の両側端壁の中にはいずれもバネ溝６０が設置され、前記昇降溝６１の中には上端が前記環状板５６に連結された昇降ロッド５７が設置され、前記昇降ロッド５７の下端には一端が前記バネ溝６０の中に位置している二つのバネブロック５８が固定され、前記バネ溝６０の中には前記バネブロック５８を支持する支持バネ５９が設置され、前記第一リール６４には三本のロープ７が巻きついており、前記カム４０が前記駆動機構６７の連動のもとで運動を制御し、これにより前記スライド板３９又は前記第一リール６４とを制御して回転させ、これにより前記よじ登り機構６５への制御を実現し、前記昇降器１の昇降を完成し、前記昇降器１の中にはまた空気質を測定できる測定機構６８が設置され、前記よじ登り機構６５の昇降において、異なる高度の空気質の測定を実現する。
【００１８】
有益的には、前記よじ登り機構６５は二本のローラ４５と、二本の従動軸４６と、三本の昇降バネ６と、二つの挟みブロック１１と、三つの電磁石１０と、二つの伸縮バネ４４とを含み、前記昇降器１の中には右方へ開口した従動溝２が設置され、前記伝動チャンバ３８の前後端壁の中にはいずれも前記伝動チャンバ３８に連通しているスライド溝４３が設置され、前記伝動チャンバ３８と前記従動溝２の中にはいずれも前記従動軸４６が設置され、右側の前記従動軸４６の前後両端がそれぞれ前記スライド溝４３の中に位置しており、且つ前記スライド溝４３の中には前記従動軸４６を復帰させることができる前記伸縮バネ４４が設置され、前記従動軸４６には一端が前記ライトロッド３と接触した前記ローラ４５がスライドできるように連結され、前記昇降器１の中には下方へ開口した三つの伸縮チャンバ４が設置され、前記支持ブロック８の上端面には上端が前記伸縮チャンバ４の上端壁と連結された前記伸縮バネ４４が固定され、前記ロープ７の左端がそれぞれ前記伸縮チャンバ４の上端壁を貫通しており、且つ前記支持ブロック８と連結され、前記支持ブロック８の中には前記貫通孔５に連通した三つの電磁溝９が設置され、前記電磁溝９の片側端壁には前記電磁石１０が固定され、前記電磁溝９の中にはまた一端が前記ライトロッド３と接触した前記挟みブロック１１がスライドできるように連結された。
【００１９】
有益的には、前記伝動機構６６はまた前記伝動チャンバ３８の右端壁の中に植設された接触スイッチ３７を含み、前記接触スイッチ３７が右側の前記スライド板３９と接触した後に前記電磁石を作動させる。
【００２０】
有益的には、前記駆動機構６７は駆動モータ１４を含み、前記駆動モータ１４の上端には駆動軸１３が動力が伝達できるように連結され、前記駆動軸１３の上端が前記第一リール６４と、前記環状板５６と、前記カム４０とを貫通しており、且つ前記伝動チャンバ３８の上端壁と回転できるように連結され、前記カム４０が前記駆動軸１３とスライドできるように連結され、前記駆動軸１３の上端が前記円形チャンバ６２を貫通しており、且つ前記駆動軸１３の上端には一端が前記円形チャンバ６２の中に位置している二つの固定ブロック６３が固定され、前記駆動軸１３の下端には第一ベルトプーリ１５が固定され、前記駆動チャンバ１２の右端壁の中には回転チャンバ１８が設置され、前記回転チャンバ１８の下端壁には回転軸１７が回転できるように連結され、前記回転軸１７の上端には第二ベルトプーリ１９と第一ベベルギヤ２０とが固定され、前記第二ベルトプーリ１９と前記第一ベルトプーリ１５との間が第一ベルト１６により連結され、前記第一ベベルギヤ２０の後端には第二ベベルギヤ２２が噛み合うように連結され、前記第二ベベルギヤ２２の中心には前後両端がそれぞれ前記回転チャンバ１８の前後端壁と回転できるように連結された回転軸２１が固定的に連結され、前記回転軸２１の前後両端には第三ベルトプーリ５２が固定され、前記回転軸２１の後端には摩擦電磁輪７０がスライドできるように連結され、前記摩擦電磁輪７０の上端には前記摩擦電磁輪７０と接触した従動輪４７が設置され、前記従動輪４７の中心には後端が前記回転チャンバ１８の後端壁と回転できるように連結された連結軸４９が固定され、前記連結軸４９と前記回転チャンバ１８の後端壁とが捻りバネ５０により連結され、前記連結軸４９にはまた二つの第二リール４８が固定され、後側の前記第二リール４８には鎖５１が巻きついており、前側の前記第二リール４８には細ひも３２が巻きついている。
【００２１】
有益的には、前記測定機構６８は測定チャンバ２７を含み、前記測定チャンバ２７の前後端壁にはいずれも外部空間に連通した通気チャンバ２３が設置され、前記通気チャンバ２３の左端壁には固定板２８が固定され、前記固定板２８の右端には前記固定板２８の右端を貫通している伝動軸２５が設置され、前記伝動軸２５の一端にはファン羽根２６が固定され、前記伝動軸２５のもう一端には第四ベルトプーリ２４が固定され、前記第四ベルトプーリ２４と前記第三ベルトプーリ５２との間が第二ベルト６９により連結され、前記測定チャンバ２７の上端壁には下方へ開口した押し出し溝３１が設置され、前記押し出し溝３１の中には下端が前記測定チャンバ２７の中に位置している測定器３０と、前記測定器３０を復帰させることができる圧縮バネ３３とが設置され、前記細ひも３２の上端が前記押し出し溝３１の上端壁を貫通しており、且つ前記測定器３０と連結され、前記測定チャンバ２７の上端壁の中にはまた前記押し出し溝３１を貫通している移動チャンバ２９が設置され、前記移動チャンバ２９の中には前記押し出し溝３１を閉鎖できる閉鎖板３４と、前記閉鎖板３４を復帰させることができる連結バネ３５とが設置され、前記鎖５１の一端が前記移動チャンバ２９の左端壁を貫通しており、且つ前記閉鎖板３４と連結された。
【００２２】
装置全体の機械動作の順序は：
【００２３】
１．昇降器１は測定機構６８により昇降器１が固定されたところの高度の空気質を測定する時、駆動モータ１４が作動して駆動軸１３を連動させて時計回りに回転させ、これにより第一ベルトプーリ１５を連動させて回転させ、しかし、カム４０が固定ロッド４２の制限により回転できなく、昇降ロッド５７は台形ロッド５３が固定ロッド４２に連動されて下降するため、前記固定ブロック６３の回転を制限し、これにより固定ブロック６３が第一リール６４を連動させて回転させ、第一リール６４が回転してロープ７をしっかりと巻き、右側のスライド板３８が接触スイッチ３７と接触し、これによりこの時に電磁石１０と挟みブロック１１とが互いに反発しなく、左側のスライド板３８が右側のローラ４５と密着し、これにより二つのローラ４５がライトロッド３をきつく挟み、これにより昇降器１の落下を防止する。
【００２４】
２．第一ベルトプーリ１５が回転して第二ベルトプーリ１９の回転を連動させ、これにより回転軸１７と、第一ベベルギヤ２０と、第二ベベルギヤ２２とを連動させて回転させ、これにより回転軸２１を回転させ、この時、摩擦電磁輪７０が作動して回転軸２１と吸引しあい、これにより二つの第三ベルトプーリ５２と摩擦電磁輪７０とを連動させて回転させ、第三ベルトプーリ５２の回転により第四ベルトプーリ２４を回転させ、これにより伝動軸２５とファン羽根２６とを回転させ、これにより二つのファン羽根２６の伝動により測定チャンバ２７と通気チャンバ２３の中の空気を流通させ、且つ当該高度の空気を充満させ、摩擦電磁輪７０の回転が連結軸４９と、第二リール４８と、従動輪４７とを連動させて回転させ、捻りバネ５０が捻られ、これにより細ひも３２をしっかりと巻き、閉鎖板３４を放し、これにより測定器３０を押し出し溝３１の中に戻し、閉鎖板３４が押し出し溝３１を閉鎖し、これにより測定チャンバ２７の中の空気が流通する時、測定器３０の作動に影響しない。
【００２５】
３．駆動軸１３が時計回りに回転する時に第一リール６４は支持ブロック８と昇降器１とが接触するまでロープ７をしっかりと巻き、空気流通が完成した後、駆動モータ１４が停止し、これにより摩擦電磁輪７０と従動輪４７との間が伝動しなくなり、これにより捻りバネ５０を復帰させ、この時に摩擦電磁輪７０が作動しなく、これにより連結軸４９を復帰させ、これにより細ひも３２を緩め、鎖５１をしっかりと巻き、これにより閉鎖板３４を押し出し溝３１から離れさせ、測定器３０の一端が測定チャンバ２７の中に位置して空気質を測定する。
【００２６】
４．昇降器１が上昇する時、駆動モータ１４が作動して駆動軸１３を連動させて反時計回りに回転させ、これによりカム４０を反時計回りに回転させ、これにより固定ロッド４２が弧状溝５５の中でスライドし、固定ロッド４２と台形ロッド５３とが分離し、これにより昇降ロッド５７と、環状板５６と、台形ロッド５３とを支持バネ５９の作用のもと上方へ運動させ、これにより昇降ロッド５７が固定ブロック６３の回転を制限しなく、カム４０の回転により左側のスライド板３９が右側のローラ４５と密着しなく、右側のスライド板３９が弾性ひも７１の作用のもとで左方へ運動し、接触スイッチ３７と接触しなくなり、これにより接触スイッチ３７は電磁石１０と挟みブロック１１とが反発しあうように制御し、挟みブロック１１がライトロッド３をきつく挟む。
【００２７】
５．昇降ロッド５７が固定ブロック６３と接触しないため、挟みブロック１１がライトロッド３をきつく挟み、ローラ４５がライトロッド３をきつく挟まなくなり、これにより三つの昇降バネ６を復帰させ、昇降器１を連動させて上方へ運動させ、ロープ７が長く引っ張られ、第一リール６４が回転する。
【００２８】
６．昇降バネ６が復帰した後、駆動モータ１４が作動して駆動軸１３を連動させて時計回りに回転させ、これにより伝動機構６６を復帰させ、これによりローラ６５が改めてライトロッド３をきつく挟み、接触スイッチ３７が再び右側のスライド板３９と接触し、これにより電磁石１０と挟みブロック１１とが互いに反発しなく、昇降ロッド５７が再び固定ブロック６３の回転を制限するため、駆動軸１３が時計回りに回転して第一リール６４を連動させて回転させ、これによりロープ７をしっかりと巻き、これにより支持ブロック８を連動させて上方へ運動させ、昇降バネ６が圧縮され、支持ブロック８が一定の程度まで上昇した後で駆動モータ１４が停止し、支持ブロック８と昇降器７との間が一定の距離を保持し、そして昇降器１の上昇を完成する。
【００２９】
７．昇降器１が一定の高度まで上昇し、再び測定チャンバ２７の中の空気を流通させ、これにより当該測定チャンバ２７の中の空気を当該高度の空気に変え、そして測定器３０が当該高度の空気質を測定し、このように繰り返し、異なる高度の空気質を測定でき、データを得て、測ったデータをもっと詳しくする。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。